(57)【特許請求の範囲】
【請求項１】
被検眼に視標を提示する視標提示手段と、
各種の光学素子を保持し、被検者からの応答に応じた該光学素子を被検眼前に配置する光学素子配置手段と、
被検者からの応答に応じて前記視標提示手段と前記光学素子配置手段を制御する制御手段と、
前記視標提示手段及び／又は前記光学素子配置手段の状態を表示する表示手段と、
各検眼段階で提示される視標に関する情報としてのその視標を示す図柄若しくは名称又はその視標より実行される検査の名称と、その視標が提示された段階での検眼結果とを関連付けて記憶する記憶手段とを備え、
前記表示手段は、前記図柄、前記名称又は前記検査の名称のうちいずれの情報を表示するかを切替可能とし、当該いずれかの情報と該検眼結果とを関連付けて表示することを特徴とする自覚式検眼装置。
【請求項２】
被検眼に視標を提示する視標提示手段と、
各種の光学素子を保持し、被検者からの応答に応じた該光学素子を被検眼前に配置する光学素子配置手段と、
被検者からの応答に応じて前記視標提示手段と前記光学素子配置手段を制御する制御手段と、
前記視標提示手段及び／又は前記光学素子配置手段の状態を表示する表示手段と、
各検眼段階で提示される視標に関する情報とその視標が提示された段階での検眼結果とを関連付けて記憶する記憶手段と、
所定の手順で視標を提示する検眼プログラムを登録する登録手段とを備え、
前記表示手段は、該検眼プログラムが実行される際、該検眼プログラムの実行手順に沿って、前記視標に関する情報と該検眼結果とを関連付けて表示することを特徴とする自覚式検眼装置。
【請求項３】
被検眼に視標を提示する視標提示手段と、
各種の光学素子を保持し、被検者からの応答に応じた該光学素子を被検眼前に配置する光学素子配置手段と、
被検者からの応答に応じて前記視標提示手段と前記光学素子配置手段を制御する制御手段と、
前記視標提示手段及び／又は前記光学素子配置手段の状態を表示する表示手段と、
各検眼段階で提示される視標に関する情報とその視標が提示された段階での検眼結果とを関連付けて記憶する記憶手段と、
表示された検眼段階のうち任意のものを指定する指定手段とを備え、
前記表示手段は、前記視標に関する情報と該検眼結果とを関連付けて表示することを特徴とする自覚式検眼装置。
【請求項４】
前記検眼結果は、各検眼段階で最終的に決定された検眼結果である請求項１乃至３のいずれかに記載の自覚式検眼装置。
【請求項５】
前記表示手段は、実行済みの検査手順と、実行中又実行されていない検査手順とを視覚的に区別して表示する請求項２に記載の自覚式検眼装置。
【請求項６】
前記表示手段は、実行済みの検査手順、実行中の検査手順、実行されていない検査手順をそれぞれ視覚的に区別して表示する請求項２に記載の自覚式検眼装置。
【請求項７】
前記制御手段は、前記指定手段による指定動作に応じて、該指定された検眼段階に対応する状態を再現するように前記視標提示手段及び前記光学素子配置手段を制御する請求項３記載の自覚式検眼装置。
【発明の詳細な説明】
【０００１】
【発明の属する技術分野】
本発明は、被検者に視標を提示し、その見え方に対する被検者からの応答に基づいて、被検眼の種々の視機能を順を追って検査する自覚式検眼装置に関する。
【０００２】
【従来の技術】
自覚式検眼装置における検査においては、レフラクトメータやレンズメータからの測定データに基づいて被検眼の検査を開始し、球面度数検査、レッドグリーン検査、乱視軸検査、乱視度数検査、両眼バランス検査等の多種類の検査手順を経て最適な矯正屈折力が決定される。
【０００３】
こうした一連の検査手順の各々においては、直近の手順におけるデータを利用して検査を進めていく。
【０００４】
このため、こうした多種類の検査手順の途中においてミスが生じると、その後の検査手順にも影響し、最終的に得られた最適矯正屈折力にもエラーが生じることが起こり得る。
【０００５】
【発明が解決しようとする課題】
しかし、従来の自覚式検眼装置においては、多種類の検査手順を経て最終的に得られた測定データが出力されるだけであった。
【０００６】
このため、検者が最終の測定データに疑念を持った場合にも、どの検眼時点にミスがあったのかを知ることができなかった。この結果、検者は被検者に対する自覚式検査手順を経る測定を最初からやり直すことを強いられていた。
【０００７】
本発明は、上記のような従来技術の欠点に鑑み、再測定の煩雑さを最小限に抑えることができ、もって検眼の迅速化を図ることができる自覚式検眼装置を提供することを目的とする。
【０００８】
【課題を解決するための手段】
上記課題を解決するために、本発明は次のような構成を有することを特徴としている。
【０００９】
請求項１記載の発明の自覚式検眼装置は、被検眼に視標を提示する視標提示手段と、各種の光学素子を保持し、被検者からの応答に応じた該光学素子を被検眼前に配置する光学素子配置手段と、被検者からの応答に応じて前記視標提示手段と前記光学素子配置手段を制御する制御手段と、前記視標提示手段及び／又は前記光学素子配置手段の状態を表示する表示手段と、各検眼段階で提示される視標に関する情報としてのその視標を示す図柄若しくは名称又はその視標より実行される検査の名称と、その視標が提示された段階での検眼結果とを関連付けて記憶する記憶手段とを備え、前記表示手段は、前記図柄、前記名称又は前記検査の名称のうちいずれの情報を表示するかを切替可能とし、当該いずれかの情報と該検眼結果とを関連付けて表示することを特徴とするものである。
【００１０】
この発明によれば、被検眼の自覚式検眼を実行して行く際に、視標提示手段は、被検眼に視標を提示し、光学素子配置手段は、制御手段の制御の基に被検者からの応答に対応した光学素子を被検眼前に配置する。また、表示手段は前記視標提示手段及び／又は前記光学素子配置手段の状態を表示する。
【００１１】
さらに、前記記憶手段は、検眼段階で提示される視標に関する情報とその視標が提示された段階での検眼結果とを関連付けて記憶する。
【００１２】
このようにして自覚式検眼が行われ、前記表示手段は、前記視標と該検眼結果とを関連付けて表示する。
【００１３】
この結果、検者は、自覚式検眼における各検査で被検者に提示していた視標と、その検眼段階で検眼結果とを確実に把握でき、再測定の煩雑さを最小限に抑えることができ、検眼の迅速化を図ることができる。
【００１４】
また、請求項１記載の発明は、前記検眼段階で提示される視標を示す情報を、その視標を示す図柄若しくは名称又はその視標より実行される検査の名称としたことを特徴とするものである。
【００１５】
また、請求項１記載の発明は、前記図柄、前記名称又は前記検査の名称のいずれを表示するかを切替可能としたことを特徴とするものである。
【００１６】
この発明によれば、前記図柄、名称又は前記検査の名称のいずれを表示するかを切替可能としているので、検者は、検眼段階で提示される視標を図柄のパターン認識により又は前記名称又は検査の名称の文字認識により把握しつつ自覚式検眼を進行することができる。
【００１７】
請求項４記載の発明は、請求項１乃至３のいずれかに記載の自覚式検眼装置において、前記検眼結果は、各検眼段階で最終的に決定された検眼結果であることを特徴とするものである。
【００１８】
この発明によれば、前記検眼結果は、各検眼段階で最終的に決定された検眼結果としているので、検者は、既に行われた各検眼段階での最終的に決定された検眼結果を把握しつつ後続する自覚式自覚式検眼を進行することができる。
【００１９】
請求項２記載の発明は、被検眼に視標を提示する視標提示手段と、各種の光学素子を保持し、被検者からの応答に応じた該光学素子を被検眼前に配置する光学素子配置手段と、被検者からの応答に応じて前記視標提示手段と前記光学素子配置手段を制御する制御手段と、前記視標提示手段及び／又は前記光学素子配置手段の状態を表示する表示手段と、各検眼段階で提示される視標に関する情報とその視標が提示された段階での検眼結果とを関連付けて記憶する記憶手段と、所定の手順で視標を提示する検眼プログラムを登録する登録手段とを備え、前記表示手段は、該検眼プログラムが実行される際、該検眼プログラムの実行手順に沿って、前記視標に関する情報と該検眼結果とを関連付けて表示することを特徴とするものである。
【００２０】
この発明によれば、登録手段により所定の手順で視標を提示する検眼プログラムを登録し、前記表示手段は、該検眼プログラムが実行される際、該検眼プログラムの実行手順に沿って表示を行うようにしているので、前記検眼プログラムにより定めた手順により被検者の自覚式検眼を順次実行できる。
【００２１】
請求項５記載の発明は、請求項２記載の自覚式検眼装置において、前記表示手段は、実行済みの検査手順と、実行中又実行されていない検査手順とを視覚的に区別して表示することを特徴とするものである。
【００２２】
この発明によれば、前記表示手段により、実行済みの検査手順と、実行中又実行されていない検査手順とを視覚的に区別して表示するようにしているので、検者は、自覚式検眼の進行状況を視覚を通じて明確に区別しつつ被検者の自覚式検眼を実行できる。
【００２３】
請求項６記載の発明は、請求項２に記載の自覚式検眼装置において、前記表示手段は、実行済みの検査手順、実行中の検査手順、実行されていない検査手順をそれぞれ視覚的に区別して表示することを特徴とするものである。
【００２４】
この発明によれば、前記表示手段により、実行済みの検査手順と、実行中の検査手順と、実行されていない検査手順とを視覚的に区別して表示するようにしているので、検者は、実行済み実行中、未実行の検査手順を視覚を通じて明確に区別しつつ被検者の自覚式検眼を実行できる。
【００２５】
請求項３記載の発明は、被検眼に視標を提示する視標提示手段と、各種の光学素子を保持し、被検者からの応答に応じた該光学素子を被検眼前に配置する光学素子配置手段と、被検者からの応答に応じて前記視標提示手段と前記光学素子配置手段を制御する制御手段と、前記視標提示手段及び／又は前記光学素子配置手段の状態を表示する表示手段と、各検眼段階で提示される視標に関する情報とその視標が提示された段階での検眼結果とを関連付けて記憶する記憶手段と、表示された検眼段階のうち任意のものを指定する指定手段とを備え、前記表示手段は、前記視標に関する情報と該検眼結果とを関連付けて表示することを特徴とするものである。
【００２６】
この発明によれば、表示された検眼段階のうち任意のものを指定する指定手段を備えているので、検者は任意の検眼段階に関する検査手順を再度指定して当該検査手順をやり直す等の選択を行うことができ、検眼結果の疑念が生じた場合等に対応できる。
【００２７】
請求項７記載の発明は、請求項３記載の自覚式検眼装置において、前記制御手段は、前記指定手段による指定動作に応じて、該指定された検眼段階に対応する状態を再現するように前記視標提示手段及び前記光学素子配置手段を制御することを特徴とするものである。
【００２８】
この発明によれば、前記制御手段は、指定手段による指定動作に応じて、該指定された検眼段階に対応する状態を再現するように前記視標提示手段及び前記光学素子配置手段を制御するようにしているので、検者が任意の検眼段階に関する検査手順を再度指定した場合等に視標提示手段及び前記光学素子配置手段をその検査手順に対応する状態にすることができ、検者の指定に応じた検査手順を支障なく実行できる。
【００２９】
【発明の実施の形態】
以下に、本発明の実施の形態を詳細に説明する。
【００３０】
（実施の形態１）
図１に示す本発明の実施の形態１の検眼装置は、検眼テーブル１、検眼ユニット８、コントローラＣ及び視標提示装置８０（図５に示す）により概略構成される。検眼テーブル１は、上面が平坦で、トライアルレンズ、掛枠テスト用フレーム等を入れる引き出し１ａを備え、被検者用の椅子１２を近傍に備えている。  この検眼テーブル１上には、支柱６が立設されるとともに、コントローラＣが載置されている。
【００３１】
コントローラＣは、各種検眼情報の入力操作を行う操作部２及び検眼手順、検眼結果データ等を表示する表示部１０を有している。
【００３２】
尚、支柱６は、上下方向に伸縮可能となっている。
【００３３】
この支柱６により、横アーム４が支持され、この横アーム４の突出端部において後述する自覚式検眼用の検眼ユニット８が懸架されている。
【００３４】
また、前記横アーム４の突出端部からは、例えば電磁式のロック機構を搭載した操作アーム５が突出され、操作アーム５を操作することで、前記横アーム４とともに検眼ユニット８を支柱６を支軸として図１に示す矢印ａ、ｂ方向に回動させて、検眼ユニット８を図１に示す検眼位置と、この検眼位置から９０度程度回動した非検眼位置とに移動可能としている。
【００３５】
前記検眼ユニット８は、被検者Ｍの右眼用の右眼ユニット８ａと、左眼用の左眼ユニット８ｂとからなる分離配置に構成されるとともに、横アーム４に連結される調整機構部７により図１に示す矢印方向（水平方向）に各々スライド可能となっている。
【００３６】
また、前記検眼ユニット８の右眼ユニット８ａ、左眼ユニット８ｂは、各々右眼用、左眼用の検眼窓８ｃ、８ｄを備えている。この検眼窓８ｃ、８ｄ内に、球面レンズ群、円柱レンズ群等の各種光学素子を配置するとともに、被検者に検眼窓８ｃ、８ｄを介して指標を見せることにより、自覚式検眼を行うようになっている。
【００３７】
尚、図１において、９は前記支柱６の頂部に取り付けた照明装置である。
【００３８】
前記右眼ユニット８ａ及び左眼ユニット８ｂの例えば５ｍ前方には、図５に概略的に示すように視力値チャート、レッドグリーンテストチャート等の各種の視標を提示する視標提示装置８０が配置されるようになっている。
【００３９】
前記検眼ユニット８は、図５に示すように、各種の光学部材材を搭載した数枚のターレット板１７を備えている。周知のように、ターレット板１７は、円中心を回転軸として回転可能に構成され、円周付近に各種光学部材を嵌め込むための複数の孔部を有している。この孔部に数Ｄずつ度数の異なる球面レンズ群、数Ｄずつ度数の異なる円柱レンズ群、クロスシリンダレンズ、ロータリープリズム、補助光学部材（偏光板、赤緑フィルタ、遮光板等）が嵌め込まれる。これにより、任意の光学部材を検眼窓８ｃ、８ｄに配置することができるようになっている。この構造は周知であり、本件発明とは関係が薄いので詳細な説明は省略する。
【００４０】
図６は、本実施の形態１の検眼装置の制御系を示すものであり、制御手段１１０は、自覚式検眼用のプログラムを格納したプログラムメモリ１０１と、全体の制御を行う制御部１００と、記憶部であるＲＡＭ１１５を具備している。制御部１００により、コントローラＣの操作部２、表示部１０、視標提示装置８０、検眼ユニット８に搭載したレンズ群を切り替え駆動するターレット板駆動部１１１の制御を行うようになっている。また、前記操作部２には、検者が各種操作を行うマウス１４０が接続されている。マウス１４０以外のポインティングデバイスを使用することも可能である。
【００４１】
前記操作部２、視標提示装置８０には、図示していないが赤外線通信等の通信手段により通信を行うインターフェースが各々設けられ、操作部２により設定する視標キーに応じた視標が視標提示装置８０により提示されるようになっている。
【００４２】
前記コントローラＣの操作部２は、図３の外観図に示すように、視標選択スイッチ群４３を備えている。視標選択スイッチ群４３は、提示させたい視標を選択するためのスイッチ群であり、マニュアル検眼時、又は検眼プログラムの途中で任意の視標による検査を割り込ませて実行する場合に使用される。
【００４３】
視標選択スイッチ群４３の１つが押されると、そのスイッチに対応した視標が視標提示装置８０から提示されるとともに、その視標による検査に必要な光学素子が検眼窓８ｃ、８ｄに配置される。
【００４４】
ダイヤル４４は、指定されている判定項目を段階的に切替えるのに使用する。例えば、球面度数Ｓが測定項目として指定されている場合には、ダイヤル４４の回転により、検眼窓８ｃ又は８ｄに配置される球面レンズが、例えば０．２５Ｄ刻みで変化する。
【００４５】
プラススイッチ４６、マイナススイッチ４７、プラススイッチ４８、マイナススイッチ４９は、ダイヤル４４と同一の機能を持つ。送りスイッチ４５は、検眼プログラムを次の段階に進行させる場合その他各種の決定の際に操作される。
【００４６】
マスク選択スイッチ５０は、視標にマスクをかける場合に操作するものである。マスク移動スイッチ５１は、選択されたマスクを移動させるのに使用するものである。
【００４７】
測定眼選択スイッチ５２は、両眼、右眼、左眼の中から測定対象とするものを選択するためのスイッチである。「右眼」ボタンが押されると、左眼の検眼窓８ｄに遮光板が挿入され、「左眼」ボタンが押されると、右眼の検眼窓８ｃに遮光板が挿入される。
【００４８】
コーススイッチ５４は、検眼プログラムを実行する場合に押されるものである。すなわち、コーススイッチ５４を押すと、図２に示すように、登録済みのコース名が書かれたアイコンが表示部１０に表示される。アイコンのうちの１つが二重線で表示されており、ダイヤル４４を回すと、二重線表示されるアイコンが次々に切り替わる。
【００４９】
検者は、実行したいコースのアイコンを二重線表示にし、送りスイッチ４５を押す。これにより、任意の検眼プログラムが実行される。
【００５０】
項目選択スイッチ群５５は、球面度数Ｓ、乱視度数Ｃ、乱視軸Ａ等の項目を指定するためのスイッチ群である。５６はデータ入出力スイッチ群で、レンズメータやレフラクトメータのデータを入力したい場合に使用される。５７はデータを途中で記憶させたい場合に使用する記憶スイッチ、５８は検眼結果を印刷するためのプリントスイッチである。
【００５１】
リセットスイッチ５９は、データをクリアし、検眼ユニット８の検眼窓８ｃ、８ｄに配置される光学素子をいずれも開口のみにするためのスイッチである。
【００５２】
ファンクションスイッチ６０は、プログラムの進行に合せて、種々の機能が与えられるスイッチであり、その機能の内容が後述するように表示部１０の下部に表示される。履歴スイッチ６１は、後述するような履歴表示を行う場合に操作される。
【００５３】
図４は、表示部１０に表示される画面の一例を示すものである。
【００５４】
本実施の形態１の自覚式検眼装置では、図４に示すように、表示部１０のに表示面１０ａに、検眼進行用画面ＩＰと、検眼履歴表示画面ＩＨとが同時に表示される。
【００５５】
検眼進行用画面ＩＰには、検眼を進行するのに必要又は有用な各種のデータが区分けされて表示されている。検眼履歴表示画面ＩＨには、検眼プログラムを構成する複数個ののテストの種類、及びその各テストを終了した段階での検眼の途中経過を表示している。
【００５６】
通常は検眼進行用画面ＩＰの方がアクティブ（キー繰作により操作できる状態）になっているが、マウス１４０により検眼履歴表示画面ＩＨの一部（例えばタイトルバー）をクリックすると、検眼履歴表示画面ＩＨの方を上側に表示するようにすることもできる。
【００５７】
元に戻すときは、検眼進行用画面ＩＰの一部をクリックすればよい。はじめから両画面を並列的に表示することも可能であるし、また、検眼履歴表示画面ＩＨは最初は閉じておき、必要に応じて呼び出せるようにすることも可能である。
【００５８】
次に、検眼進行用画面ＩＰの表示内容について説明する。
【００５９】
データ表示部９１は、球面度数、乱視度数。乱視軸角度、加入度・水平／垂直プリズム値等の測定項目データを表示するものである。
【００６０】
それぞれの数値は、検眼窓８ｃ、８ｄに配置される光学部材の光学特性に対応して変化する。その数値は、ダイヤル４４又はプラススイッチ４６及びマイナススイッチ４８の操作により段階的に切り替えられる。図４に示すように、反転表示される部分が、ダイヤル４４等による切り替えの対象となる。
【００６１】
反転表示部分は、提示される視標の種類により自動的に切り換えられるが、履歴スイッチ６１によっても切り替え可能である。
【００６２】
ダイヤル操作表示部９２はダイヤル４４の機能を表示するものである。ファンクョンスイッチ表示部９３は、ファンクションスイッチ６０の機能を表示するものである。
【００６３】
外部データ表示部９１は、データ入出力スイッチ群５６より入力された外部データを表示する部分であり、図４では、レフラクトメータによる他覚検眼データが表示されている。
【００６４】
チャート表示部９４は、視標提示装置８０により提示されている視標の種類をグラフィック表示する部分である。
【００６５】
補助光学素子表示部９５は、検眼窓８ｃ、８ｄ内に配置されている補助光学部材（遮光板、開口、偏光板、赤緑フィルタ等）の種類をグラフィック表示する欄である。
【００６６】
次に、検眼履歴表示画面ＩＨの表示内容について、図４を参照して説明する。検眼履歴表示画面ＩＨには、検眼プログラムにより提示された又は提示される予定の視標をグラフィック表示する視標表示欄１２１、その視標による検眼の結果を表示する検眼結果表示欄１３１とが表示されている。
【００６７】
視標表示欄１２１は、ある検眼プログラムにおいて提示される複数の視標（通常は左右眼合せて１０〜１４個程度である）を、提示される順に沿って上から表示するものである。これにより、検者は視標はどのような順序で提示されるのか（又はされたのか）を見ることができる。指標の図柄の替わりに、その名称を表示させてもよい。
【００６８】
尚、図４では２番目のレッドグリーンテスト視標から６番目の加入度テストの視標までの６個のみが表示されているが、その前後の視標も、検眼履歴表示画面ＩＨをアクティブにし、スクロールバーＳＢを操作することにより、表示させることができる。
【００６９】
検眼結果表示欄１３１は、視標表示欄１２１に表示される検査視標により実行される検査の名称と、その視標による検査結果を対応付けて表示する。尚、検査の名称の表示を切換操作により非表示にすることもできる。
【００７０】
ここで、検査の名称とは、対応する視標表示欄１２１に表示される指標により実行される検査の名称である。指標と検査の名称の対応関係は、デフォルトとして記憶されており、このデフォルトに基づいて表示されるのが通常であるが、状況に応じて表示を切り替えることもできる。
【００７１】
これを、図４に示す例に沿って説明する。図４では、いくつか登録されている検眼プログラム（コース）のうち「自覚検眼コース１」なるコースが実行され、４番目の検査である視力値テストまでが終了し、５番目の両眼バランステストが実行中であることを示している。
【００７２】
検眼結果表示欄１３１−２は、２番目の検査であるレッドグリーンテストが終了した段階（送りスイッチ４５が押された段階）での検査の途中経過を示している。
【００７３】
同様に、検眼結果表示欄１３１−３は３番目の検査であるクロスシリンダーテストが終了した段階での検査の途中経過を、検眼結果表示欄１３１−４は４番目の検査である視力値テストが終了した段階での検査の途中経過を示している。
【００７４】
両眼バランス検査は現在実行中であり、加入度テストは両眼バランス検査終了後に実行されるので、検眼結果表示欄１３１−５、１３１−６の欄は空欄となっている。
【００７５】
既に終了した４番目以前の検眼結果表示欄１３１−２、１３１−３、１３１−４は白色の背景で表示され、これにより検者は検査の進行状況、及び各段階での途中経過を知ることができる。
【００７６】
また、実行中の両眼バランステストの検眼結果表示欄１３１−５は黒の網掛け（クロス斜線で示す）表示とされており、数値は表示されていない。
【００７７】
両眼バランス検査が送りスイッチ４５の操作により終了すると、その直前におけるデータ表示部９１の数値が検眼結果表示欄１３１−５の欄に表示される。
未実行の加入度テストの検眼結果表示欄１３１−６は灰色の網掛け（斜線で示す）表示とされている。
【００７８】
検者は、検眼結果表示欄１３１を見ることにより、各検査段階による検査の途中経過を知ることができ，また、検査の結果に疑念を持った場合には、この検眼結果表示欄１３１を調べることにより、どの段階で入力ミスをしたかを知ることができる。
【００７９】
また、検者は、検眼履歴表示画面ＩＨを見ることにより、入力ミスが生じたと疑われる検眼段階を知った場合には、最初から検眼をやり直すのではなく、その入力ミスが生じたと疑われる段階から検眼をやり直すことができる。
【００８０】
この場合の手順を図７、図８を参照して説明する。
【００８１】
ここでは、５番目の検査である両眼バランステストの実行中において、検者が３番目の橡査であるクロスシリンダテストの検眼結果に疑念を持ったものとして説明する。
【００８２】
まず、検者はマウス１４０により、検眼履歴表示画面ＩＨのタイトルバーをクリックし、検眼履歴表示画面ＩＨをアクティブにする。
【００８３】
次に、やり直したい検眼段階であるクロスシリンダテストの検眼結果表示欄１３１−３をマウス１４０で右クリックする。すると、図７に示すように、黒太線囲みで表示されるとともに、メニュー２００が表示される。メニュー２００の中から「やり直し」を選択する、すると、図８に示すように、検眼結果表示欄１３１−３が白表示から黒の網掛け（クロス斜線で示す）表示に変わる。これと同時に、コントローラＣから制御部１００を介して視標提示装置８０及び検眼ユニット８に命令信号が出力され、これにより、視標提示装置８０にはクロスシリンダテスト用の点群チャートが表示される。
【００８４】
コントローラＣの表示部１０の表示は、点群チャートを使用したクロスシリンダテストの表示に切り替わる。さらに、検眼ユニット８も、検眼結果表示欄１３１−３に表示されていた矯正状態を再現するように再設定される。こうして、クロスシリンダテストを再度やり直すことができる。尚、検査をやり直し、再度送りスイッチ４５が押されるまでは、既に測定済みの３番目の検査以降の検査途中経過データは保持されている。
【００８５】
即ち、やり直しの選択後、送りスイッチ４５の操作がされる前においては、図７の検眼結果表示欄１３１−３においては黒の網かけ表示背景上に検査途中の経過データが依然表示される。
【００８６】
検者が、検査のやり直し作業を中止したい場合には、マウス１４０のポインタを検眼結果表示欄１３１−３に移動させ、マウス１４０を右クリックする。すると、図８に示すように、再度メニューが表示されるので、その中から「やり直し中止」を選択する。これにより、検眼履歴表示画面ＩＨは「やり直し」選択以前の状態、すなわち、両眼バランステストを実行中の画面に戻り、視標提示装置８０、検眼ユニット８も元の状態に戻る。
【００８７】
このようにして、検者自身が前記プログラムに従った検眼手順を進行している途中で随時手順を実行済みの手順に移動し再度その手順をやり直すことができ、実行済みの手順の検眼結果に疑念を持ったような場合に対応でき、各手順の検眼結果の正確性を期することができる。
【００８８】
次に、図９乃至図１１を参照して、検者自身が前記プログラムに従った検眼手順に新たに手順を追加する場合について説明する。尚、図９は手順を追加する処理の流れを示すフローチャート、図１０は手順追加前の表示部１０の表示態様、図１１は手順追加後の表示部１０の表示態様を示すものである。
【００８９】
前記表示部１０は、自覚式検眼のプログラムに従い、検眼を進める段階に応じて、例えば図１０に示すように、レッドグリーンテスト、クロスシリンダーテスト、視力値テスト、両眼バランステスト、加入度テスト等を意味する各視標の図柄を視標表示欄１２１に各々表示し、これらに対応する検眼結果表示欄１３１−２乃至１３１−６は未実行の表示態様（図１０では斜線を付して示す）で表示しているものとする。
【００９０】
このとき、前記検眼結果表示欄１３１−２乃至１３１−６には、各々レッドグリーンテスト、クロスシリンダーテスト、視力値テスト、両眼バランステスト、加入度テストの各文字も併せて表示される。
【００９１】
この状態で、検者が例えば両眼バランステストの視標表示欄１２１及び検眼結果表示欄１３１−５のエリアを新たに追加したい手順のエリアとして指定すると（ステップＳ１１）、前記表示部１０には図１１に示すようにメニュー２００が重ねて表示される（ステップＳ１２）。
【００９２】
次に、検者が前記マウス１４０を操作してメニュー２００のうちの「手順を挿入」を指定し（ステップＳ１３）、更に追加したい手順としてレッドグリーンテストを指定する（ステップＳ１４）。
【００９３】
これにより、図１１に示すように、追加したい手順であるレッドグリーンテストを示す図柄が視標表示欄１２１に表示され、レッドグリーンテストの文字が検眼結果表示欄１３１−５に表示される（ステップＳ１４）。
【００９４】
そして、手順追加前において視標表示欄１２１に表示されていた両眼バランステストの図柄は一段繰り下がって表示され、両眼バランステストの文字も結果表示欄１３１−６に繰り下がって表示される（ステップＳ１５）。即ち、新たに追加した手順以降の両眼バランステスト、加入度テスト等の手順は各々一段ずつ繰り下がる。
【００９５】
手順追加後においても、前記検眼結果表示欄１３１−２乃至１３１−６は未実行の表示態様（図１１では斜線を付して示す）で表示される。
【００９６】
尚、上述したメニュー２００としては、図１０に示すように、「手順を挿入」の他、「手順をコピー」、「手順を切り取り」、「コピー先に手順を挿入」、「手順を削除」の各項目が表示される。
【００９７】
また、図９乃至図１１で説明した例では、重複することになるレッドグリーンテストの手順を追加した場合について説明したが、図示しない自覚式検眼に関する種々の手順についても同様に追加できることはいうまでもない。
【００９８】
このようにして、検者自身が前記プログラムに従った検眼手順に対して新たに重複した又は別の手順を随時追加することができ、被検眼Ｅの屈折力等の程度に応じて最適の手順を実行することが可能となる。
【００９９】
尚、上述した図９乃至図１１では手順の追加を行う場合について説明したが、プログラムに基づいた一連の手順の中から特定の手順を削除する場合についても、上述した場合と同様、削除したいエリアの指定、メニュー２００のうちの「手順の削除」の各操作を行うことで同様に実行できる。
【０１００】
（実施の形態２）
次に本発明の実施の形態２について説明する。上述した実施の形態１では、プログラム検眼を行う場合に本発明を適用した場合の例を示したが、本発明はこれに限らず、マニュアル検眼、すなわち、検者が視標選択スイッチ４３の中から任意のスイッチを適宜選択することにより検眼を進める場合にも適用できる。
【０１０１】
図１２に沿って本実施の形態２について説明する。
【０１０２】
図１２は、マニュアル検眼途中において、実行済みの手順に関する検眼履歴の表示態様を示すものである。
【０１０３】
前記表示部１０は、マニュアル検眼により実行された各種の検査、例えば、図１２に示すように、レッドグリーンテスト、クロスシリンダーテスト、視力値テストを意味する各視標の図柄を視標表示欄１２１に上から順に３段で表示し、かつ、これらに対応する検眼結果表示欄１３１−２、１３１−３、１３１−４には、各々レッドグリーンテスト、クロスシリンダーテスト、視力値テストの検眼結果の数値データを白色の通常表示の表示態様で表示する。
【０１０４】
また、検眼未実行の４段目、５段目の視標表示欄１２１及びこれらに対応する検眼結果表示欄１３１−５、１３１−６は、例えばグレー表示等による未実行表示（図１２では斜線を付して示す）としている。
【０１０５】
このような前記表示部１０における検眼履歴の表示態様により、検者は、自己が一連の検眼手順のうちのいずれの段階までの検眼手順を実行済みかを表示部１０を視認するだけで直ちに把握できる。
【０１０６】
この状態で、検者が前記操作部２の視標選択スイッチ群４３の中の両眼バランステスト用のスイッチを押すと、図１３に示すように、４段目の視標表示欄１２１に両眼バランステストを意味する図柄が表示され、また、検眼結果表示欄１３１−５には両眼バランステストの文字が表示される。そして、検眼結果表示欄１３１−５は黒の網掛け（クロス斜線で示す）表示に変わる。これと同時に、コントローラＣから制御部１００を介して視標提示装置８０及び検眼ユニット８に命令信号が出力され、これにより、視標提示装置８０には両眼バランステスト用のチャートが表示される。
【０１０７】
【発明の効果】
本発明によれば、以下の効果を奏する。
【０１０８】
請求項１記載の発明によれば、検者は、自覚式検眼における被検者に提示したた視標と、その検眼段階で検眼結果とを確実に把握でき、再測定の煩雑さを最小限に抑えることができ、検眼の迅速化を図ることができる自覚式検眼装置を提供することができる。
【０１０９】
また、請求項１記載の発明によれば、検者は、検眼段階で提示される視標を図柄のパターン認識により若しくは視標の名称又は検査の名称により速やかに把握しつつ自覚式検眼を進行することができる自覚式検眼装置を提供することができる。
【０１１０】
また、請求項１記載の発明によれば、検者は、検眼段階で提示される視標を図柄のパターン認識により又は視標の名称、検査の名称の文字認識により把握しつつ自覚式検眼を進行することができる自覚式検眼装置を提供することができる。
【０１１１】
請求項４記載の発明によれば、検者は、既に行われた各検眼段階での最終的に決定された検眼結果を把握しつつ後続する自覚式自覚式検眼を進行することができる自覚式検眼装置を提供することができる。
【０１１２】
請求項２記載の発明によれば、検眼プログラムにより定めた手順により被検者の自覚式検眼を順次実行できる自覚式検眼装置を提供することができる。
【０１１３】
請求項５記載の発明によれば、検者は、自覚式検眼の進行状況を視覚を通じて明確に区別しつつ被検者の自覚式検眼を実行できる自覚式検眼装置を提供することができる。
【０１１４】
請求項６記載の発明によれば、検者は、実行済み、実行中、未実行の検査手順を視覚を通じて明確に区別しつつ被検者の自覚式検眼を実行できる自覚式検眼装置を提供することができる。
【０１１５】
請求項３記載の発明によれば、検者は任意の検眼段階に関する検査手順を再度指定して当該検査手順をやり直す等の選択を行うことができ、検眼結果の疑念が生じた場合等に対応できる自覚式検眼装置を提供することができる。
【０１１６】
請求項７記載の発明によれば、検者が任意の検眼段階に関する検査手順を再度指定した場合等に視標提示手段及び前記光学素子配置手段をその検査手順に対応する状態にすることができ、検者の指定に応じた検査手順を支障なく実行できる自覚式検眼装置を提供することができる。
【図面の簡単な説明】
【図１】本発明の実施の形態１の自覚式検眼装置を示す正面図である。
【図２】本発明の実施の形態１の自覚式検眼装置におけるコントローラの操作部及び表示部を示す斜視図である。
【図３】本発明の実施の形態１の自覚式検眼装置における操作部を示す平面図である。
【図４】本発明の実施の形態１の自覚式検眼装置における表示部の検眼進行用画面及び検眼履歴表示画面の表示例を示す平面図である。
【図５】本発明の実施の形態１の自覚式検眼装置の検眼ユニットの概略斜視図である。
【図６】本発明の実施の形態１の自覚式検眼装置の制御系を示すブロック図である。
【図７】本発明の実施の形態の検査手順移動前の表示部の表示態様を示す説明図である。
【図８】本発明の実施の形態１の検査手順移動後の表示部の表示態様を示す説明図である。
【図９】本発明の実施の形態１の検査手順を変更する処理の流れを示すフローチャートである。
【図１０】本発明の実施の形態１の検査手順変更前の表示部の表示態様を示す説明図である。
【図１１】本発明の実施の形態１の検査手順変更後の表示部の表示態様を示す説明図である。
【図１２】本発明の実施の形態２の自覚式検眼装置のマニュアル検眼の場合の表示部の検査手順及び検眼結果の表示例を示す説明図である。
【図１３】本発明の実施の形態２の自覚式検眼装置のマニュアル検眼の表示部の検査手順の追加例を示す説明図である。
【符号の説明】
１  検眼テーブル
２  操作部
８  検眼ユニット
８ａ  右眼ユニット
８ｂ  左眼ユニット
８ｃ  検眼窓
８ｄ  検眼窓
１０  表示部
１０ａ  表示面
１７  ターレット板
４３  視標選択スイッチ群
４４  ダイヤル
４５  送りスイッチ
６１  履歴スイッチ
８０  視標提示装置
１００  制御部
１０１  プログラムメモリ
１１０  制御手段
１１１  ターレット板駆動部
１１５  ＲＡＭ
１２１  視標表示欄
１３１  検眼結果表示欄
１３１−２〜１３１−６  検眼結果表示欄
１４０  マウス
２００  メニュー
Ｅ  被検眼
Ｍ  被検者
Ｃ  コントローラ
ＩＰ  検眼進行用画面
ＩＨ  検眼履歴表示画面
【図１】
0004884590.tif 000002
【図２】
0004884590.tif 000003
【図３】
0004884590.tif 000004
【図４】
0004884590.tif 000005
【図５】
0004884590.tif 000006
【図６】
0004884590.tif 000007
【図７】
0004884590.tif 000008
【図８】
0004884590.tif 000009
【図９】
0004884590.tif 000010
【図１０】
0004884590.tif 000011
【図１１】
0004884590.tif 000012
【図１２】
0004884590.tif 000013
【図１３】
0004884590.tif 000014